(57)【要約】【課題】安価且つ手軽で収納性及び携行性に優れた竿置きを提供する。【解決手段】矩形又はＸ字状の扁平な板体１１でなり、板体１１の一方側に形成された第１凹部１２と板体１１の他方側に形成された第２凹部１３とを有し、第１凹部１２及び第２凹部１３のそれぞれ底部１５，１６は、飲料容器２０の飲み口２１が嵌着可能に、且つ釣り竿１００を保持可能に形成される。【選択図】図３
0003217653.tif 000002
【実用新案登録請求の範囲】
【請求項１】
矩形又はＸ字状の扁平な板体でなり、該板体の一方側に形成された第１凹部と前記板体の他方側に形成された第２凹部とを有し、
前記第１凹部及び前記第２凹部のそれぞれ底部は、飲料容器の飲み口が嵌着可能に、且つ釣り竿を保持可能に形成されたことを特徴とする竿置き。
【請求項２】
下方へ凹となるように配置された前記第１凹部の前記底部又は前記第２凹部の前記底部に、前記飲料容器の飲み口が嵌着すると共に、
上方へ凹となるように配置された前記第２凹部の前記底部又は前記第１凹部の前記底部に、前記釣り竿が保持されることを特徴とする請求項１に記載の竿置き。
【請求項３】
前記第１凹部及び前記第２凹部の前記底部は、前記飲料容器の飲み口の大きさに応じて、異なる径に設定されることを特徴とする請求項１又は２に記載の竿置き。
【請求項４】
前記第１凹部及び前記第２凹部の前記底部は括れを有し、該括れの内側に前記飲料容器の飲み口を嵌着状態に保持することを特徴とする請求項１〜３のいずれか１項に記載の竿置き。
【考案の詳細な説明】
【技術分野】
【０００１】
本考案は、釣り現場で一時的に釣り竿を置いておくために使用する竿置きに関するものである。
【背景技術】
【０００２】
釣りにおいて、釣竿を地面に対し水平に置くと、竿だけでなくリール等の付属物にも傷が入る。このため一般的には竿立てと呼ばれる、釣り竿を立てかけるための用具を用いるのが一般的である。
【０００３】
なお、特許文献１にはこの種の竿立てもしくは竿受台が開示される。
【先行技術文献】
【特許文献】
【０００４】
【特許文献１】特開平１１-１７８４９５号公報
【考案の概要】
【考案が解決しようとする課題】
【０００５】
竿立てには様々な形状、素材のものがあるが、その多くが比較的大きなものであり、使用前の組立てが必要であり、且つ収納性及び携行性において不便なものも多い。また、高価なものも多い。
【０００６】
本考案はかかる実情に鑑み、安価且つ手軽で収納性及び携行性に優れた竿置きを提供することを目的とする。
【課題を解決するための手段】
【０００７】
本考案の竿置きは、矩形又はＸ字状の扁平な板体でなり、該板体の一方側に形成された第１凹部と前記板体の他方側に形成された第２凹部とを有し、前記第１凹部及び前記第２凹部のそれぞれ底部は、飲料容器の飲み口が嵌着可能に、且つ釣り竿を保持可能に形成されたことを特徴とする。
【考案の効果】
【０００８】
本考案の竿置きによれば、第１凹部又は第２凹部の底部に市販の飲料容器の飲み口を嵌着させるだけの簡単な作業で実現でき、手軽で使用性に優れている。
【図面の簡単な説明】
【０００９】
【図１】本考案の実施形態における竿置きの全体斜視図である。
【図２】本考案の実施形態における竿置きの板体の正面図である。
【図３】本考案の実施形態における竿置きの使用時の斜視図である。
【図４】本考案の実施形態における竿置きの使用時の斜視図である。
【図５】本考案の実施形態における竿置きの使用時の側面図である。
【考案を実施するための形態】
【００１０】
以下、図面に基づき、本考案に係る竿置きの好適な実施の形態を説明する。
図１は、本考案の実施形態における竿置きの全体構成例を示す。釣りに使用する竿には釣り方によって、あるいは狙う魚によって種々の竿があるが、本考案の竿置きはあらゆる竿に適用可能であり、釣り人が竿から手を離して一時的に足元等に置いておきたい場合等に好適である。図１のように本考案の竿置き１０は、典型的には合成樹脂製の矩形又はＸ字状の扁平な板体１１でなり、飲料容器２０を活用して即効的に竿置き機能を発揮する。板体１１の厚さは数ｍｍ程度とする。
飲料容器２０としては合成樹脂製の筒状容器等、種々の容器を適応可能であり、所謂ペットボトル(PET bottle)を一例とし、筒状の一端に飲み口２１を有する。飲み口２１にはキャップ２２が取り付けられていてもよい。
【００１１】
竿置き１０の板体１１の形状は矩形あるいはＸ字状の他に、板体１１の中心に関して対称的に配置される辺部を持つ変形形態を採用可能である。図１のように板体１１の一方側に形成された第１凹部１２と、板体１１の他方側に形成された第２凹部１３とを有する。本例ではＸ字の字型に対応して、概略Ｖ字状の第１凹部１２及び第２凹部１３が、Ｘ字の交点に関して対向するように配置される。第１凹部１２及び第２凹部１３の間にはＸ字の字型に対応して、概略Ｖ字状の一対の切欠き１４が形成される。
【００１２】
第１凹部１２及び第２凹部１３はそれぞれ底部１５，１６を有し、底部１５，１６は、飲料容器２０の飲み口２１が嵌着可能に、且つ釣り竿１００（図３参照）を保持可能に形成される。
図１の図示例では第１凹部１２が下方へ凹となるように配置され、第１凹部１２に形成された底部１５に対して飲料容器２０の飲み口２１が嵌着可能である。
この場合、上方へ凹となるように配置された第２凹部１３の底部１６に、釣り竿が保持される。
【００１３】
図１とは逆に第２凹部１３が下方へ凹となるように配置可能である。この場合、第２凹部１３の底部１６に対して飲料容器２０の飲み口２１が嵌着可能であり、一方、上方へ凹となるように配置される第１凹部１２の底部１５には、釣り竿が保持される。
【００１４】
図２に示すように第１凹部１２及び第２凹部１３はそれぞれ、底部１５，１６に括れ１７，１８を有し、これらの括れ１７，１８の内側に飲料容器２０の飲み口２１を嵌着状態に保持する。括れ１７，１８から底部１５，１６へ入る入り口部分は、適度な長さで直線状に形成される。
また、第１凹部１２及び第２凹部１３により形成される底部１５，１６は、飲料容器２０の飲み口２１の大きさに応じて、異なる径Ｄ１，Ｄ２に設定され、実使用において適宜使い分ける。
【００１５】
本考案の竿置き１０の実使用において、例えば図１のように第１凹部１２が下方へ凹となるようにした状態で、第１凹部１２の底部１５に飲料容器２０の飲み口２１の基部を嵌め込む。そして飲み口２１が底部１５に嵌着されて飲料容器２０が板体１１に固定される。この場合、飲料容器２０には飲料水等の液体を入れておく。本例では図３〜図５にも示すように板体１１のＸ字の２辺が地面に着座する脚部として機能し、竿置き１０は飲料容器２０と一体となって地面に安定して設置される。このような竿置き１０に対して、上方へ凹となった第２凹部１３の底部１６に釣り竿１００の適所を嵌め込むことで釣り竿１００を保持することができる。
【００１６】
一方、上記とは逆に特に、異なる径の飲み口２１の飲料容器２０に対応して、第２凹部１３が下方へ凹となるように配置し、第２凹部１３の底部１６に飲料容器２０の飲み口２１の基部を嵌め込む。そして同様に、飲み口２１が底部１６に嵌着されて飲料容器２０が板体１１に固定される。
【００１７】
本考案の竿置き１０によれば、一方に飲料容器２０の飲み口２１下部を固定できる形状を持ち、その部分から放射状に広がる下部が地面に接地することで安定を図り、上部に釣り竿１００を置いて使用することができる。
【００１８】
特に、Ｘ字の交点部分には液体を入れた飲料容器２０の飲み口２１の基部付近を嵌め込むことができる。これにより竿置き本体そのものは軽量かつ薄くすることができ、携行性に優れる一方で、使用時には飲料容器２０の重量が重しとして加わるため、釣り竿１００の保持性が上がる上、多少の横風にも竿置き本体が安定し、釣り竿１００の揺動を防ぐことができる。
【００１９】
市販の飲料水の飲料容器２０の形状は様々なものがあり、飲み口２１の基部の直径も様々である。このためＸ字の交点の底部１５，１６につき、上下に直径の異なる２個所を設けることで、少なくとも２サイズ以上の飲料容器２０を装着できる。
また、第１凹部１２及び第２凹部１３はそれぞれ、底部１５，１６に括れ１７，１８を有し、これにより飲料容器２０が下方向に脱落するのを防ぐことができる。
【００２０】
なお、竿置き１０に穴には所謂、「ケミ」を差し込むことで夜釣りの際にも使用できる。
本実施形態ではＸ字状の板体１１の例で説明したが、Ｘ字には限定されずに板体１１の上下に飲料容器２０に対する保持部が上下２か所にあればいい。
【符号の説明】
【００２１】
１０  竿置き、１１  板体、１２  第１凹部、１３  第２凹部、１４  切欠き、１５，１６  底部、２０  飲料容器、２１  飲み口、１００  釣り竿。
【図１】
0003217653.tif 000003
【図２】
0003217653.tif 000004
【図３】
0003217653.tif 000005
【図４】
0003217653.tif 000006
【図５】
0003217653.tif 000007